(57)【要約】【課題】本発明は、電子ペーパーに関し、特に、電子ペーパー及び電子ペーパーにイメージを転写するためのプリンティング装置に関する。【解決手段】電子ペーパーにコンテンツを示すイメージを転写するためのプリンティング装置は、上記イメージの転写のための制御信号を生成し、上記生成された制御信号を上記電子ペーパーに出力する電子ペーパー制御部と、上記電子ペーパーがその上面に配置され、ユーザ入力命令を検出するためのタッチセンサーと、上記タッチセンサーを駆動するための制御信号を上記タッチセンサーに出力し、上記タッチセンサーにより検出されたユーザ入力命令を受信するタッチセンサー制御部と、上記タッチセンサー制御部から入力されたユーザ入力命令に従って上記電子ペーパーに表示されたイメージを変更するように上記電子ペーパー制御部を制御する主制御部とを有する。【選択図】図１６
2013214301.tif 000002
【特許請求の範囲】
【請求項１】
電子ペーパーにコンテンツを示すイメージを転写するためのプリンティング装置であって、
前記イメージの転写のための制御信号を生成し、前記生成された制御信号を前記電子ペーパーに出力する電子ペーパー制御部と、
前記電子ペーパーがその上面に配置され、ユーザ入力命令を検出するためのタッチセンサーと、
前記タッチセンサーを駆動するための制御信号を前記タッチセンサーに出力し、前記タッチセンサーにより検出されたユーザ入力命令を受信するタッチセンサー制御部と、
前記タッチセンサー制御部から入力されたユーザ入力命令に従って前記電子ペーパーに表示されたイメージを変更するように前記電子ペーパー制御部を制御する主制御部と
を有することを特徴とするプリンティング装置。
【請求項２】
ユーザ入力を受信するか又は情報をユーザに通知するためのユーザインターフェースをさらに含むことを特徴とする請求項１に記載のプリンティング装置。
【請求項３】
前記主制御部は、前記電子ペーパーの整列状態情報を前記タッチセンサーから受信し、前記電子ペーパーの整列状態又は整列案内情報を前記ユーザインターフェース又は電子ペーパーを介して提供することを特徴とする請求項２に記載のプリンティング装置。
【請求項４】
前記タッチセンサーは、電磁共振方式のタッチセンサーであることを特徴とする請求項１に記載のプリンティング装置。
【請求項５】
前記電子ペーパー制御部、前記タッチセンサー制御部、及び前記主制御部を有するメインボードと、前記タッチセンサーが搭載された基板と、
前記電子ペーパーを前記基板上に固定するためのクリップと
をさらに有することを特徴とする請求項１に記載のプリンティング装置。
【請求項６】
前記基板は、前記電子ペーパーに形成されたホールを通過する突起を有することを特徴とする請求項１に記載のプリンティング装置。
【請求項７】
電子ペーパーであって、
プラスチック材質で形成された下部基板及び上部基板と、
前記下部基板と前記上部基板との間に介在され、加えられた電界に従う粒子の移動を介してイメージパターンを表示するインク層と、
前記下部基板と上部基板との間に介在され、前記電界を生成し、有機物質で形成された導体及び絶縁層を有するバックプレーンと
を有することを特徴とする電子ペーパー。
【請求項８】
前記下部基板と前記上部基板との間に介在された共通電極をさらに有することを特徴とする請求項７に記載の電子ペーパー。
【請求項９】
前記電子ペーパーは、０．０８ｍｍ〜０．２ｍｍの厚さを有することを特徴とする請求項７に記載の電子ペーパー。
【請求項１０】
前記下部基板及び前記上部基板は、それぞれポリイミド又はポリエチレンテレフタラート（ＰＥＴ）で形成されることを特徴とする請求項７に記載の電子ペーパー。
【請求項１１】
電子ペーパーであって、
コンテンツを表示するためのイメージングシートと、
前記イメージシートのエッジ部に配置されるか又は前記イメージシートの周囲に配置されることによりユーザ入力を感知するためのセンシング部と、
前記イメージングシート及びセンシング部を駆動するための駆動部と
を有することを特徴とする電子ペーパー。
【請求項１２】
外部装置との通信のためのインターフェースをさらに有することを特徴とする請求項１１に記載の電子ペーパー。
【請求項１３】
前記外部装置により識別される座標補正識別タグをさらに有することを特徴とする請求項１２に記載の電子ペーパー。
【請求項１４】
前記座標補正識別タグは、外部から誘導される電磁場を放出することを特徴とする請求項１３に記載の電子ペーパー。
【請求項１５】
前記外部装置に形成された突起に挿入される溝をさらに有することを特徴とする請求項１２に記載の電子ペーパー。
【請求項１６】
前記電子ペーパーの電極を用いて外部装置と通信する制御部をさらに有することを特徴とする請求項１１に記載の電子ペーパー。
【請求項１７】
前記電極は、外部に露出することを特徴とする請求項１６に記載の電子ペーパー。
【請求項１８】
前記イメージングシートの下に配置され、ユーザ入力を感知するためのタッチセンサーをさらに有することを特徴とする請求項１１に記載の電子ペーパー。
【請求項１９】
前記タッチセンサーは抵抗膜方式のタッチセンサーであることを特徴とする請求項１８に記載の電子ペーパー。
【請求項２０】
前記センシング部は、前記タッチセンサーの一部であることを特徴とする請求項１９に記載の電子ペーパー。
【発明の詳細な説明】
【技術分野】
【０００１】
本発明は、電子ペーパーに関し、特に、電子ペーパー及び電子ペーパーにイメージを転写するためのプリンティング装置に関する。
【背景技術】
【０００２】
従来では、電子ペーパーを用いるキーパッドアセンブリが公知されたことがある。
【０００３】
Ｈｕｉｎａｎ  Ｊ．Ｙｕなどにより発明され特許登録された米国特許第７，０５３，７９９号“ＫＥＹＰＡＤ  ＷＩＴＨ  ＩＬＬＵＭＩＮＡＴＩＯＮ  ＳＴＲＵＣＴＵＲＥ”というアクチュエータボタン（actuator buttons）を有する透明キーパッドと複数のスイッチ（switches）との間に電子ペーパーを介在させ、ハウジング（housing）と透明キーパッドとの間に配置された発光素子を用いて透明キーパッドを介して電子ペーパーを照明することにより、電子ペーパー上の記号パターンを表示する技術を開示する。
【０００４】
このような電子ペーパーを用いる様々な装置が開示されているとしても、この装置は、柔軟で薄い形態を有せず、高価であるという問題点を有する。
【０００５】
したがって、一般的な柔軟で薄くて低価のペーパーのように、電子ペーパーを活用するようにすることができる電子ペーパー及び電子ペーパーのためのプリンティング装置が要求される。
【先行技術文献】
【特許文献】
【０００６】
【特許文献１】特開２０１１−２３７６４４号公報
【特許文献２】韓国公開特許第２０１１−００６３２２５号公報
【特許文献３】米国登録特許７，０５３，７９９号公報
【発明の概要】
【発明が解決しようとする課題】
【０００７】
本発明の特定の実施形態の目的は、本発明の目的は、少なくとも上述した問題点及び／又は課題に取り組み、少なくとも以下の便宜を提供することにある。  
【０００８】
したがって、一般的な柔軟で薄くて低価のペーパーのように、電子ペーパーを活用するようにすることができる電子ペーパー及び電子ペーパーのためのプリンティング装置を提供することにある。 
【課題を解決するための手段】
【０００９】
上記のような目的を達成するために、本発明の一態様によれば、電子ペーパーにコンテンツを示すイメージを転写するためのプリンティング装置は、上記イメージの転写のための制御信号を生成し、上記生成された制御信号を上記電子ペーパーに出力する電子ペーパー制御部と、上記電子ペーパーがその上面に配置され、ユーザ入力命令を検出するためのタッチセンサーと、上記タッチセンサーを駆動するための制御信号を上記タッチセンサーに出力し、上記タッチセンサーにより検出されたユーザ入力命令を受信するタッチセンサー制御部と、上記タッチセンサー制御部から入力されたユーザ入力命令に従って上記電子ペーパーに表示されたイメージを変更するように上記電子ペーパー制御部を制御する主制御部とを有することを特徴とする。
【００１０】
本発明の他の態様によれば、電子ペーパーは、プラスチック材質で形成された下部基板及び上部基板と、上記下部基板と上記上部基板との間に介在され、加えられた電界に従う粒子の移動を介してイメージパターンを表示するインク層と、上記下部基板と上部基板との間に介在され、上記電界を生成し、有機物質で形成された導体及び絶縁層を有するバックプレーンとを有することを特徴とする。
【００１１】
本発明のまた他の態様によれば、電子ペーパーは、コンテンツを表示するためのイメージングシートと、上記イメージシートのエッジ部に配置されるか又は上記イメージシートの周囲に配置されることによりユーザ入力を感知するためのセンシング部と、上記イメージングシート及びセンシング部を駆動するための駆動部とを有することを特徴とする。
【発明の効果】
【００１２】
本発明は、一般的な 柔軟であり安価のペーパーのように電子ペーパーを活用することができるという長所を有する。
【００１３】
本発明の実施形態の上述した及び他の様相、特徴、及び利点は、以下の添付図面が併用された後述の詳細な説明から、より一層明らかになるだろう。
【図面の簡単な説明】
【００１４】
【図１】本発明の第１の実施形態による電気泳動ディスプレー（ＥＰＤ）パネルを示す平面図である。
【図２】ＥＰＤパネルを示す断面図である。
【図３】イメージングシートの１つの画素を示す断面図である。
【図４】イメージングシートの駆動方法を説明するための図である。
【図５】本発明の実施形態による有機電子バックプレーン構成を示す回路図である。
【図６】本発明の実施形態によるセンシング部を使用する方法を説明するための図である。
【図７】本発明の実施形態によるセンシング部を使用する他の方法を説明するための図である。
【図８】本発明の実施形態によるセンシング部の第１のストリップを示す斜視図である。
【図９】本発明の実施形態によるユーザ入力を感知するセンシング部の原理を説明するための図である。
【図１０】センシング部の駆動方法を説明するための図である。
【図１１】本発明の第１の実施形態によるプリンティング装置とＥＰＤパネルとが分離された状態を示す図である。
【図１２】本発明の第１の実施形態によるプリンティング装置とＥＰＤパネルとが結合された状態を示す図である。
【図１３】本発明の実施形態によるクリップを示す平面図である。
【図１４】本発明の実施形態によるクリップを示す側面図である。
【図１５】本発明の実施形態によるタッチセンサーの駆動方法を説明するための図である。
【図１６】本発明の実施形態によるプリンティング装置の構成を示す図である。
【図１７】本発明の第２の実施形態によるプリンティング装置とＥＰＤパネルとが分離された状態を示す図である。
【図１８】本発明の第２の実施形態によるプリンティング装置とＥＰＤパネルとが結合された状態を示す図である。
【図１９】本発明の第２の実施形態によるＥＰＤパネルを示す平面図である。
【図２０】本発明の第２の実施形態によるＥＰＤパネルを示す断面図である。
【図２１】本発明の第３の実施形態によるＥＰＤパネルを示す平面図である。
【図２２】本発明の第３の実施形態によるＥＰＤパネルを示す断面図である。
【図２３】本発明の第４の実施形態によるＥＰＤパネルを示す平面図である。
【図２４】本発明の第４の実施形態によるＥＰＤパネルを示す断面図である。
【図２５】本発明によるＥＰＤパネル間の電界通信を示すフローチャートである。
【図２６】接触方式の電界通信を説明するための図である。
【図２７】電界通信の一例を説明するための図である。
【図２８】電界通信の一例を説明するための図である。
【図２９】電界通信の他の例を説明するための図である。
【発明を実施するための形態】
【００１５】
本発明は、様々な変更を加えることができ、様々な実施形態を有することができるので、特定の実施形態を図面を参照して詳細に説明する。しかしながら、これは、本発明を特定の実施形態に対して限定するのではなく、本発明の思想及び技術範囲に含まれるすべての変更、均等物、及び置き換え物を含むものと理解されなければならない。
【００１６】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
“第１”及び“第２”などのような序数を含む用語が様々な構成要素を説明するために使用されるが、これらの構成要素は、この用語により限定されない。この用語は、１つの構成要素を他の構成要素と区別するためにだけ使用される。例えば、本発明の権利範囲を逸脱することなく、第１の構成要素は第２の構成要素と呼ばれてもよく、同様に、第２の構成要素も第１の構成要素と呼ばれてもよい。ここで使用される用語“及び／又は”は、複数の関連した記載された項目の組み合せ又は複数の関連した記載された項目のうちのいずれか項目を含む。
【００１８】
ある構成要素が他の構成要素に“連結される”又は“接続される”と言及された時には、その他の構成要素に直接的に連結しているか又は接続されている場合もあり得るが、中間に他の構成要素が存在することもあると理解されるべきである。他方、ある構成要素が他の構成要素に“直接連結される”又は“直接接続される”と言及されたときには、中間に他の構成要素が存在しないものと理解されるべきである。
【００１９】
ここで使用する用語は、特定の実施形態だけを説明するためのもので、本発明を限定するのではない。ここで使用するように、単数の表現は、文脈上明白に異なることを必要としない限り複数の表現を含む。本明細書で使用されている“具備する”又は“有する”などの用語は、明細書上に記載された特徴、数字、ステップ、動作、構成要素、エレメント、又はこれらの組み合せの存在を指定するものであって、１つ又はそれ以上の他の特徴又は数字、ステップ、動作、構成要素、部品、又はこれらの組み合せの存在又は付加可能性を予め排除しないものと理解されるべきである。
【００２０】
用語が異なって定義されない限り、技術的であるか又は科学的な用語を含めてここで使用されるすべての用語は、本発明が属する技術分野における通常の知識を有する者により一般的に理解されるものと同一の意味を有している。一般的に使用される予め定義されているもののような用語は、関連技術の文脈上有する意味と一致する意味を有するものと解釈されなければならず、本出願で明白に定義しない限り、理想的であるか又は過度に形式的な意味であると解釈されない。
【００２１】
本発明の電気泳動ディスプレー（electrophoretic display：ＥＰＤ）パネルは、プリンティング装置から入力された制御信号によりイメージングシート上にコンテンツを表示し、ユーザ入力を感知した情報をプリンティング装置に出力する。プリンティング装置は、コンテンツを示すイメージをＥＰＤパネルに転写する作業を実行する。このコンテンツは、メニュースクリーン、静止イメージ（写真）、文書（ディジタルブック、ディジタル新聞、ウェブページなど）などを含む。
【００２２】
本明細書において、ＥＰＤパネルが電子ペーパーの一例として説明されているが、本発明は、内部照明手段なしに外部の周辺光を介してコンテンツを表示する任意の構造又は形態を有する電子ペーパーに適用されることができる。したがって、ＥＰＤパネルは、電子ペーパーとして表現されてもよく、ＥＰＤ制御部は、電子ペーパー制御部として表現されてもよい。
【００２３】
図１は、本発明の第１の実施形態によるＥＰＤパネル１００を示す平面図であり、図２は、ＥＰＤパネル１００を示す断面図である。
【００２４】
ＥＰＤパネル１００は、ＥＰＤパネル１００内の他の素子を保護するためのカバーシート１１０と、コンテンツを表示するためのイメージングシート１２０と、プリンティング装置からの制御信号に従ってイメージングシート１２０及びセンシング部１３０を駆動するための駆動部１５０と、ユーザ入力を感知するためのセンシング部１３０と、プリンティング装置との通信のためのインターフェース１６０と、座標補正識別タグ１４１及び１４２とを含む。駆動部１５０は、イメージングシート１２０を駆動するための第１の駆動部とセンシング部１３０を駆動するための第２の駆動部とを含む。
【００２５】
カバーシート１１０は、ＥＰＤパネル１００内の他の素子を保護するようにイメージングシート１２０の上面とともにＥＰＤパネル１００の外面を形成する。カバーシート１１０は、ポリイミド（polyimide）、ポリエチレンテレフタラート（Polyethylene Terephthalate：ＰＥＴ）などのような合成樹脂又はプラスチック材で形成されることができる。カバーシート１１０は、その中央部にイメージングシート１２０を受容するための溝が形成された長方形板の形態を有することができる。本例とは異なり、カバーシート１１０は、イメージングシート１２０を含むＥＰＤパネル１００内の他の素子を完全に取り囲む形態を有してもよい。
【００２６】
カバーシート１１０は、ＥＰＤパネル１００に選択的に適用され、カバーシート１１０の代りにイメージングシート１２０の下部及び上部基板を相互に接合するか又は接着することによりＥＰＤパネル１００内の他の素子を完全に取り囲む構成を有してもよい。下記の説明において、素子の選択的な適用は、対応する素子を除去してもよいということを意味する。
【００２７】
イメージングシート１２０は、同一の構成を有する画素（pixels）がＮｘＭマトリックスで配置された構造を有する。イメージングシート１２０のスクリーン（すなわち、イメージングシート１２０の上面）に表示されるイメージは、画素により表示されるいくつかの点の集合で構成される。
【００２８】
図３は、イメージングシート１２０の１つの画素を示す断面図である。イメージングシート１２０の各構成素子の材質及び厚さは、柔軟で薄い特性を有するように設定される。
【００２９】
イメージングシート１２０は、外部の環境からの周辺光により照明され、光の反射又は吸収を介してコンテンツを表示する。
【００３０】
イメージングシート１２０は、下部基板（Bottom Substrate）３１０、有機電子バックプレーン（Organic electronics backplane）３５０、インク層（ink layer）３６０、共通電極層（common electrode layer）３７０、上部基板（Top Substrate）３８０、及びハードコーティング層（hard coating layer）３９０を含む。
【００３１】
下部基板３１０及び上部基板３８０は、インク層３６０と電極層３５０及び３７０とを保護し、各基板３１０及び３８０は、耐熱特性、高い透過率特性、及び良好な筆記感を保証することができるポリイミド又はＰＥＴのような合成樹脂又はプラスチック材のフィルムを使用することができる。下部基板３１０は、２０μｍ〜３０μｍの厚さを有することができ、好ましくは２２．５μｍ〜２７．５μｍの厚さを有する。
【００３２】
ハードコーティング層３９０は、上部基板３８０の上面に積層され、反射よけ機能を有することができる。例えば、ハードコーティング層３９０は、光散乱剤を通常のハードコーティング剤に添加した物質で形成されることができる。ハードコーティング剤３９０は、上部基板３８０に選択的に適用されることができ、ハードコーティング層３９０及び上部基板３８０は、２４μｍ〜３６μｍの厚さを有することができ、好ましくは２７μｍ〜３３μｍの厚さを有する。
【００３３】
インク層３６０は、加えられた電界に基づく粒子の移動（すなわち、電気泳動現象）を介してカラー又は黒白イメージパターンを示し、パターンに入射した外部光の反射又は吸収を介してイメージを表示する。例えば、インク層３６０は、有機電子バックプレーン３５０と共通電極３７０との間にそれぞれ白色及び黒色粒子を含有した透明な液体で充填されたマイクロカプセル（microcapsules）を配置した構成を有し、各マイクロカプセルに電界を印加することにより黒色又は白色イメージパターンを表示する。例えば、白色粒子は（＋）で帯電し、黒色粒子は（−）で帯電することにより印加された電界により反対方向に移動する。インク層３６０のイメージパターンは電界変更時点まで保持される。インク層３６０は、カラーイメージパターンを表示することができ、このようなカラー表示は、インク層３６０上にカラーフィルターを積層するか又はインク層３６０の粒子として白黒粒子の代りに着色剤粒子を使用することにより実現されることができる。
【００３４】
共通電極３７０は、インク層３６０と上部基板３８０との間に介在され、一定の電位を保持し、接地と接続されることができる。共通電極３７０及びインク層３６０は、３２μｍ〜４８μｍの厚さを有することができ、好ましくは、３６μｍ〜４４μｍの厚さを有することができる。
【００３５】
有機電子バックプレーン３５０は、複数の画素を含み、各画素は、絶縁層３４０内に一部又は全部埋め込まれるか又は絶縁層３４０の上面に一部又は全部積層された画素電極３２０及び薄膜トランジスター（thin film transistor：ＴＦＴ）３３０を含む。共通電極３７０と画素電極３２０及びＴＦＴ３３０のような有機電子バックプレーン３５０の導体部分とは炭素含有有機物質で形成され、このような有機物質ではグラフェン（graphene）を挙げることができる。有機電子バックプレーン３５０は、４μｍ〜６μｍの厚さを有することができ、好ましくは、４．５μｍ〜５．５μｍの厚さを有する。
【００３６】
イメージングシート１２０は、全体的に、０．０８ｍｍ〜０．２ｍｍの厚さを有することができ、好ましくは０．０９ｍｍ〜０．１１ｍｍの厚さを有する。イメージングシート１２０は、単一の電子ペーパーを構成することができ、このような電子ペーパーも０．０８ｍｍ〜０．２ｍｍの厚さを有することができ、好ましくは０．０９ｍｍ〜０．１１ｍｍの厚さを有することができる。
【００３７】
図４は、イメージングシートの駆動方法を説明するための図であり、図５は、有機電子バックプレーン３５０の構成を示す回路図である。
【００３８】
駆動部１５０の第１の駆動部４１０は、ＥＰＤ制御部１６１０から入力されたイメージ表示のための制御信号に従ってアドレス信号（すなわち、ロー（row）信号）及びデータ信号（すなわち、コラム（column）信号）を生成し、アドレス信号及びデータ信号を有機電子バックプレーン３５０に出力する。第１の駆動部４１０は、スキャンドライバー（scan driver）４２０及びデータドライバー（data driver）４３０を含む。スキャンドライバー４２０は、ＥＰＤ制御部１６１０の制御の下に順次にアドレス信号をスキャンライン４２１に供給し、データドライバー４３０は、ＥＰＤ制御部１６１０の制御の下にデータ信号をデータライン４３１に供給する。
【００３９】
有機電子バックプレーン３５０は、複数の画素３５１を含み、各画素３５１は、画素電極３２０とＴＦＴ３３０とを含む。各画素電極３２０は、ＴＦＴ３３０を介して対応するスキャンライン４２１及びデータライン４３１に接続される。各ＴＦＴ３３０は、ゲート（Ｇ）、ドレーン（Ｄ）、及びソース（Ｓ）を含み、このゲートは対応するスキャンライン４２１と接続され、このドレーンは対応するデータライン４３１と接続され、このソースは対応する画素電極３２０と接続される。各ＴＦＴ３３０は、オン／オフスイッチとして機能し、これにより、信号がスキャンライン４２１及びデータライン４３１のすべてに供給される場合のみにオン状態にあり、ＴＦＴ３３０がオン状態にある場合に電圧が対応する画素電極３２０に印加される。
【００４０】
インク層３６０は、共通電極３７０と有機電子バックプレーン３５０との間に印加された電界に基づく粒子の移動を介してイメージパターンを示す。インク層３６０は、上述したイメージ転写動作に対応するイメージパターンを有し、このようなイメージパターンは、次のイメージ転写動作まで保持される。
【００４１】
センシング部１３０は、イメージングシート１２０の周囲に位置するようにカバーシート１１０の左端部、右端部、及び下端部に位置する。
【００４２】
センシング部１３０は、ユーザ入力手段（指、ペンなど）により加えられる圧力を感知するプレッシャセンサーであり、図示するように、ＥＰＤパネル１００の左上端部からＥＰＤパネル１００の下端部を介してＥＰＤパネル１００の右上端部までＵの形態で延長した第１乃至第３のストリップ１３１、１３２、及び１３３を有する。センシング部１３０は、ユーザ入力を感知するための任意の形態を有することもあり、１つのストリップを含むこともある。
【００４３】
図６は、センシング部を使用する方法を説明するための図である。図６に示すように、選択可能なメニュー６１１、６１２、６１３、及び６１４がイメージングシート１２０上に表示され、ユーザがＥＰＤパネル１００を示す仮想インデックスライン６２１、６２２、６２３、及び６２４のうちの１つに沿って曲げる場合に、インデックスラインに対応するメニューが選択される。例えば、ユーザが第１のインデックスライン６２１に沿ってＥＰＤパネル１００を曲げる場合に、第１のメニュー６１１が選択される。このようなメニューは、イメージングシート１２０上に選択的に表示されることができ、または、ユーザが第３のインデックスライン６２３又は第４のインデックスライン６２４に沿ってＥＰＤパネル１００を曲げる場合に、例えば、このようなメニューの表示なしにディジタルブックの次のページが表示されることができる。ユーザが第１のインデックスライン６２１又は第２のインデックスライン６２２に沿ってＥＰＤパネル１００を曲げる場合に、例えば、ディジタルブックの前のページが表示されることができる。
【００４４】
センシング部１３０は、ユーザのＥＰＤパネル１００の曲げに対応するユーザ入力情報をＥＰＤ制御部１６１０に出力する。
【００４５】
センシング部１３０は、ユーザ入力方向を感知し、ユーザ入力方向に対応するメニューを実行するように構成されることができる。
【００４６】
図７は、センシング部１３０を使用する他の方法を説明するための図である。センシング部１３０は、ユーザ入力方向を感知し、ユーザ入力方向に対応するメニューを実行するように構成される。例えば、ユーザが第３のストリップ１３３を右方矢印７１１に沿って左側から右側に押す場合に、“次のページへの移動”のような第１の命令が入力される。ユーザが第１のストリップ１３１を左方矢印７１２に沿って右側から左側に押す場合に、“前のページへの移動”のような第２の命令が入力される。ユーザが第２のストリップ１３２を下向き矢印７１３に沿って上側から下側に押す場合に、‘ビューメニュー’のような第３の命令が入力される。ユーザが第２のストリップ１３２を上向き矢印７１４に沿って下側から上側に押す場合に、‘ストアの移動’のような第４の命令が入力される。
【００４７】
センシング部１３０を使用するユーザ入力情報は様々であり得、このようなユーザ入力情報は、ズームイン／ズームアウト、フォントタイプ及びサイズの設定、ページスクラップ、スクラップ文書の確認及び管理、及びストアからダウンロードしプリント装置に記憶されたディジタル又は電子文書の検索／選択を含むことができる。
【００４８】
図８は、センシング部１３０の第１のストリップ１３１を示す斜視図であり、図９は、センシング部１３０がユーザ入力を感知する原理を説明するための図である。第１のストリップ１３１に基づく以降の説明は、第２のストリップ１３２及び第３のストリップ１３３にも同一に適用される。
【００４９】
第１のストリップ１３１は、ユーザ入力手段の入力位置及び／又は入力圧力を把握するためのセンサー層８２０と、センサー層８２０の下面及び上面に積層されることによりセンサー層８２０をサポートする第１の基板８１０及び第２の基板８３０とを含む。
【００５０】
センサー層８２０は、ユーザ入力手段の入力位置及び／又は入力圧力を把握するためのパターン、例えば、線形格子型パターン又はダイヤモンド形パターンなどの様々なパターンを有する。以降の説明において、センサー層８２０は線形格子型パターンを有する場合を例示する。
【００５１】
第１のセンサーライン８１１は第１の基板８１０の上面に積層され、第２のセンサーライン８２１は第２の基板８３０の下面に積層され、第１の基板８１０の上面と第２の基板８３０の下面とは向かい合う。
【００５２】
第１のセンサーライン８１１は、第１の方向（例えば、Ｙ軸又は垂直方向）に沿って延長し、第１の方向と垂直に交差する第２の方向（例えば、Ｘ軸又は水平方向）に沿って等間隔又は異なる間隔で配置される。第２のセンサーライン８２１は、第１の方向と垂直に交差する第２の方向に沿って延長し、第１の方向に沿って等間隔又は異なる間隔で配置される。
【００５３】
センサー層８２０は、ユーザ入力を感知する原理を説明すると次のようである。第１の基板８１０の上面に積層された第１のセンサーライン８１１は、第１の基板８１０の上面に直接積層された第１の電極ライン８１３及び第１の電極ライン８１３の露出した外周面を取り囲むように積層された第１の抵抗層８１４を含む。第２の基板８３０の下面に積層された第２のセンサーライン８２１は、第２の基板８３０の下面に積層された第２の電極ライン８２２及び第２の電極ライン８２２の露出した外周面を取り囲むように積層された第２の抵抗層８２３を含む。第１の基板８１０及び第２の基板８３０は、ポリイミド又はＰＥＴのような合成樹脂又はプラスチック材で形成されることができ、第１の電極ライン８１３及び第２の電極ライン８２２は、グラフェンのような炭素含有有機物質で形成されることができる。第１の抵抗層８１４及び第２の抵抗層８２３は、炭素のような抵抗性物質で形成されることができ、第１の抵抗層８１４及び第２の抵抗層８２３は、相互に離隔するか又は接触することができ、粗い表面を有することができる。
【００５４】
センサー機能を実行するために、予め定められた波形を有する電圧（すなわち、スキャン信号）は、第２の電極ライン８２２に順次に印加され、第１の電極ライン８１３は、スキャン信号から発生する感知信号を出力する。ユーザ入力手段が第１のストリップ１３１を押す場合に、第１の抵抗層８１４と第２の抵抗層８２３との接触面積が変化し、これにより、第１の抵抗層８１４及び第２の抵抗層８２３の全抵抗が変化する。このような抵抗変化により、第１の電極ライン８１３から出力される感知信号の電圧波形が変化し、電圧波形が変化した感知信号からユーザ入力手段の入力位置及び入力圧力が把握される。第１のセンサーライン８１１と第２のセンサーライン８２１とが交差する地点はセンシングポイント８００であり、本例において、センシングポイント８００はマトリックス構造で配列される。すなわち、ユーザ入力位置は、センシングポイント８００の位置のうちの１つに決定される。
【００５５】
図１０は、センシング部１３０の駆動方法を説明するための図である。
【００５６】
第２の駆動部１０１０は、ＥＰＤ制御部１６１０の制御の下にセンシング部１３０を駆動し、センシング部１３０から出力される感知信号から把握される入力位置及び／又は入力圧力を含むユーザ入力情報をＥＰＤ制御部１６１０に出力する。スキャンドライバー１０２０は、ＥＰＤ制御部１６１０の制御の下に第２の電極ライン８２２に順次にスキャン信号を供給し、位置検出部１０３０は、第１の電極ライン８１３から出力される電圧波形が変化した感知信号からユーザ入力手段の入力位置及び／又は入力圧力を把握し、この把握されたユーザ入力情報をＥＰＤ制御部１６１０に出力する。
【００５７】
図１をさらに参照すると、インターフェース１６０はコネクターであり、ＥＰＤ制御部１６１０から入力される制御信号を駆動部１５０に送信し、駆動部１５０から入力されるユーザ入力情報をＥＰＤ制御部１６１０に出力する。
【００５８】
座標補正識別タグ１４１及び１４２は、ＥＰＤパネル１００の左上端部及び右下端部にそれぞれ配置される。座標補正識別タグ１４１及び１４２のそれぞれは、ＥＰＤパネル１００がプリンティング装置に装着される時に、この整列情報をプリンティング装置に送信する。座標補正識別タグ１４１及び１４２は、外部の環境から誘導された電磁場を受信し、この電磁場をさらに放出することにより座標補正識別タグ１４１及び１４２の位置がプリンティング装置により識別されることができる。
【００５９】
また、ＥＰＤパネル１００は、ＥＰＤパネル１００がプリンティング装置に装着される時に、ＥＰＤパネル１００の整列を助ける手段として１対の固定部材、すなわちホール１７１及び１７２を含む。
【００６０】
図１１は、本発明の第１の実施形態によるプリンティング装置１６００とＥＰＤパネルが１０００とが分離された状態を示す図であり、図１２は、プリンティング装置１６００とＥＰＤパネル１００とが結合された状態を示す図である。
【００６１】
プリンティング装置１６００は、基板１１２０と、基板１１２０上に搭載されたメインボード１１１０と、ＥＰＤパネル１００を固定するためのクリップ１１３０と、ユーザ入力を検出するためのタッチセンサー１６２０とを含む。
【００６２】
図１３は、クリップ１１３０を示す平面図であり、図１４は、クリップ１１３０を示す側面図である。
【００６３】
クリップ１１３０により覆われた基板１１２０の上面には、ＥＰＤパネル１００との通信のためのインターフェース１３１０と、インターフェース１３１０の両側に配置され、ＥＰＤパネル１００のホール１７１及び１７２と結合される１対の固定部材、すなわち突起１３２1及び１３２２とが形成される。突起１３２1及び１３２２は、ＥＰＤパネル１００のホール１７１及び１７２に挿入される。インターフェース１３１０は、コネクターでありＥＰＤパネル１００のインターフェース１６０と結合される。
【００６４】
クリップ１１３０は、ユーザが手で押すプレスプレート１４１０と、スプリングのような弾性部材１４３０と、弾性部材１４３０が止められる支持部材１４２０とを含む。ユーザがプレスプレート１４１０の一端部を押す場合に、プレスプレート１４１０の他端部が持ち上げられ、他端部と基板１１２０との間の空間にＥＰＤパネル１００が挿入される。その後に、ユーザにより加えられた力が解除される場合に、プレスプレート１４１０の他端部は、弾性部材１４３０の復元力により原位置に移動することによりＥＰＤパネル１００を押して固定する。
【００６５】
図１５は、タッチセンサー１６２０の駆動方法を説明するための図である。
【００６６】
タッチセンサー１６２０は、電磁共振（Electromagnetic Resonance：ＥＭＲ）方式のタッチセンサーであり、第１のサブループ部１５１０及び第２のサブループ部１５２０を含み、タッチセンサー制御部１６３０の制御の下に動作し、センシング信号をタッチセンサー制御部１６３０に出力する。
【００６７】
第１のサブループ部１５１０及び第２のサブループ部１５２０は、相互に直交する方向に配置されることができる。
【００６８】
第１のサブループ部１５１０は、ｘ軸の方向よりｙ軸の方向に相対的に長く延長しており、したがって、ｘ軸の座標をセンシングするために使用されることができる。第２のサブループ部１５２０は、ｙ軸の方向よりｘ軸の方向に相対的に長く延長しており、したがって、ｙ軸の座標をセンシングするために使用されることができる。第１のサブループ部１５１０及び第２のサブループ部１５２０を構成する複数のループは、電磁変化をセンシングするか又は電流を導通することができる。
【００６９】
第１のサブループ部１５１０は、電流をタッチセンサー制御部１６３０から受信することによりそれぞれのループに導通するようにすることができる。第１のサブループ部１５１０は、導通される電流に基づいて所定の電磁場を誘導することにより外部に放出することができる。
【００７０】
ループ部の周辺に位置するペンは、第１のサブループ部１５１０から誘導された電磁場を受信することができ、この誘導された電磁場を放出することができる。このペンは、単純な１つの実施形態であり、電磁場を受信した後に放出することができる手段であることができる。このような手段は、ユーザ入力手段としても通称することができる。このペンは、ＥＭＲ方式のタッチセンサー１６２０がその位置を感知することができるコイル及びコンデンサーを有する共振回路を含む。
【００７１】
一方、第２のサブループ部１５２０のループは、予め定められた電磁変化を実行するように制御することができる。第２のサブループ部１５２０のループは、ペンから放出される電磁変化をセンシングする。このペンが第１のサブループ部１５１０から伝達された電磁気を放出することができるために、ペンからの電磁気は変化を有し、第２のサブループ部１５２０はこのような電磁変化をセンシングすることができる。第２のサブループ部１５２０は電磁変化をセンシングすることができ、最大センシング信号をセンシングする最大信号ループからセンシングされた最大センシング信号及び最大信号ループに隣接するループからセンシングされるセンシング信号の大きさに基づいてペンのｙ座標を決定することができる。
【００７２】
同様に、第１のサブループ部１５１０は、導通される電流に基づいて所定の電磁場を誘導し、この電磁場を外部に放出することができる。第２のサブループ部１５２０は、電磁変化をセンシングすることができ、最大センシング信号をセンシングする最大信号ループからセンシングされた最大センシング信号及び最大信号ループに隣接するループからセンシングされるセンシング信号の大きさに基づいてペンのｘ座標を決定することができる。
【００７３】
図１６は、プリンティング装置１６００の構成を示す図である。図１６において、プリンティング装置１６００のメインボード１１１０の構成を示す。
【００７４】
プリンティング装置１６００は、第１のセンシング部１６４０及び第２のセンシング部１６４１と、第１のメモリ１６５０及び第２のメモリ１６５１と、ユーザインターフェース１６６０と、通信部１６７０と、第１の電力管理部１６８０及び第２の電力管理部１６８１と、ＥＰＤ制御部１６１０と、タッチセンサー１６２０と、タッチセンサー制御部１６３０とを含み、選択的に座標補正センサー１６２１をさらに含むことができる。
【００７５】
プリンティング装置１６００は、外部装置とのインターワーキングによりイメージ転写動作を実行することができ、プリンティング装置１６００は、インターネットのような通信ネットワークを介してユーザが希望するコンテンツを受信し、このコンテンツを示すイメージをＥＰＤパネル１００に転写することができる。例えば、プリンティング装置１６００は、外部装置の制御の下に動作することができ、このような外部装置による制御は、様々な方式で実現されることができる。
【００７６】
プリンティング装置１６００は、イメージ転写機能を有する携帯電話、スマートフォン、又はタブレットパソコン（ＰＣ）のような携帯用通信端末として実現されることができる。
【００７７】
通信部１６７０は、有線又は無線通信部であり得、制御部１６９０からのデータを有線又は無線方式で送信するか又は外部の通信線又はエアーからデータを受信し、このデータを有線又は無線方式で制御部１６９０に伝達する。
【００７８】
通信部１６７０は、性能に基づいて移動通信モジュール、無線ローカルエリアネットワーク（ＬＡＮ）モジュール、及び近距離通信（Near Field Communication：ＮＦＣ）モジュールのうちの少なくとも１つを含むことができる。
【００７９】
移動通信モジュールは、プリンティング装置１６００が制御部１６９０の制御の下に少なくとも１つ−１つ又は複数のアンテナ（図示せず）を用いて移動通信を介して外部装置と接続されるようにする。移動通信モジュールは、プリンティング装置１６００に入力される電話番号を有する携帯電話（図示せず）、スマートフォン（図示せず）、タブレットＰＣ（図示せず）、又は他の装置（図示せず）と音声通話、画像通話、又はショートメッセージサービス（ＳＭＳ）又はマルチメディアメッセージサービス（ＭＭＳ）のための無線信号の送受信を行う。
【００８０】
ＷＬＡＮモジュールは、制御部１６９０の制御の下に無線アクセスポイント（ＡＰ）（図示せず）が設置された場所でインターネットに接続されることができる。ＷＬＡＮモジュールは、ＩＥＥＥ（Institute of Electrical and Electronics Engineers）のＷＬＡＮ標準規格（ＩＥＥＥ８０２．１１ｘ）をサポートする。ＮＦＣモジュールは、制御部１６９０の制御の下にプリンティング装置１６００と画像形成装置（図示せず）との間のＮＦＣを無線で実行することができる。ＮＦＣは、ブルートゥース（Bluetooth（登録商標））、赤外線通信（Infrared Data Association：ＩｒＤＡ）などを含むことができる。
【００８１】
ユーザインターフェース１６６０は、ユーザ入力を受信するか又は情報をユーザに提供するための手段であり、複数のボタン、マイクロフォン、スピーカー、振動モーター、コネクター、キーパッド、タッチスクリーンなどを含むことができる。
【００８２】
ボタンは、メインボード１１１０の前面、側面、又は後面上に形成されることができ、電源／ロックボタン（図示せず）、ボリュームボタン（図示せず）、メニューボタン、ホームボタン、バックボタン（back button）、及び検索ボタンなどを含むことができる。
【００８３】
マイクロフォンは、制御部１６９０の制御の下に音声又はサウンドの入力を受信し、電気信号を生成する。
【００８４】
スピーカーは、制御部１６９０の制御の下に様々な信号（例えば、無線信号、放送信号、ディジタルオーディオファイル、ディジタル動映像ファイル、又は写真撮影など）に対応するサウンドをプリンティング装置１６００の外部に出力することができる。スピーカーは、プリンティング装置１６００が実行する機能に対応するサウンドを出力することができる。単一又は複数のスピーカー１６３は、メインボード１１１０の適切な位置又は複数の位置に形成されることができる。
【００８５】
振動モーターは、制御部１６９０の制御の下に電気信号を機械的振動に変換することができる。例えば、振動モードにあるプリンティング装置１６００が他の装置（図示せず）から音声通話を受信する場合に振動モーターが動作する。単一振動モーター又は複数の振動モーターは、メインボード１１１０内に形成されることができる。振動モーターは、タッチスクリーン上のユーザのタッチ動作及びタッチスクリーン上のタッチの連続的な移動に応答して動作することができる。
【００８６】
コネクターは、プリンティング装置１６００を外部装置又は電源ソース（図示せず）と接続するためのインターフェースとして使用されることができる。制御部１６９０の制御の下にコネクターに接続された有線ケーブルを介してプリンティング装置１６００の第１のメモリ１６５０に記憶されたデータを外部装置に送信するか又は外部装置からデータを受信することができる。コネクターに接続された有線ケーブルを介して電源ソースから電源が入力されるか又はバッテリーを充電することがきる。
【００８７】
キーパッドは、プリンティング装置１６００の制御の下にユーザからキー入力を受信することができる。キーパッドは、メインボード１１１０に形成される物理的なキーパッド又はタッチスクリーン上に表示される仮想のキーパッドを含む。
【００８８】
タッチスクリーンは、様々なサービス（例えば、通話、データ送信、放送、写真撮影）に対応するユーザインターフェースをユーザに提供することができる。タッチスクリーンは、ユーザインターフェースに入力される少なくとも１つのタッチに対応するユーザ入力情報を制御部１６９０に送信することができる。タッチスクリーンは、ユーザの身体（例えば、親指を含む指）又はタッチ可能な入力手段（例えば、スタイラスペン）を介して少なくとも１つのタッチを受信することができる。また、タッチスクリーンは、少なくとも１つのタッチのうちの１つのタッチの連続的な移動を受信することができる。タッチスクリーンは、この受信されたタッチの連続的な移動に対応するアナログ信号を制御部１６９０に送信することができる。
【００８９】
本発明において、タッチは、タッチスクリーンとユーザのボディー又はタッチ可能な入力手段との接触だけではなく、非接触（例えば、タッチスクリーンとユーザの身体又はタッチ可能な入力手段との検出可能な間隔が１ｍｍ以下）も含むことができる。タッチスクリーンは、例えば、抵抗膜（resistive）方式、静電容量（capacitive）方式、赤外線（infrared）方式、又は超音波（acoustic wave）方式で実現されることができる。
【００９０】
第１のセンサー部１６４０は、プリンティング装置１６００の状態を検出する少なくとも１つのセンサーを含む。例えば、第１のセンシング部１６４０は、プリンティング装置１６００へのユーザの近接を検出する近接センサー、プリンティング装置１６００の動作（例えば、回転、加速、減速、振動など）を検出するモーションセンサー、及びカメラモジュールを含むことができる。また、モーションセンサーは、加速度センサー、重力センサー、衝撃センサー、ＧＰＳ、加速度センサーなどを含むことができる。第１のセンシング部１６４０は、プリンティング装置１６００の状態を検出し、この状態の検出に対応する信号を生成し、この生成された信号を制御部１６９０に送信することができる。例えば、ＧＰＳモジュールは、地球の軌道上にある複数のＧＰＳ衛星（図示せず）から電波を受信し、ＧＰＳ衛星（図示せず）からプリンティング装置１６００まで電波到達時間（Time of Arrival）を用いてプリンティング装置１６００の位置を算出することができる。
【００９１】
カメラモジュールは、制御部１６９０の制御の下に、静止イメージ又は動映像を撮影し、撮影されたイメージを制御部１６９０に伝達するか、又はこのイメージを第１のメモリ１６５０に記憶することができる。
【００９２】
制御部１６９０は、プリンティング装置１６００の全般的な動作を制御し、プリンティング装置１６００内の他の構成素子を制御することによりイメージ転写動作を実行する。下記の説明において、制御部は、制御部１６９０を意味することができるが、他の制御部との区別のために、制御部１６９０は、主制御部とも呼ぶことができる。制御部１６９０は、シングルコア、デュアルコア、トリプルコア、又はクワッドコアを含むことができる。制御部１６９０は、通信部を介して放送局から送出される放送信号（例えば、ＴＶ放送信号、ラジオ放送信号、又はデータ放送信号）及び放送付加情報（例えば、電気プログラムガイド（Electric Program Guide：ＥＰＧ）又は電気サービスガイド（Electric Service Guide：ＥＳＧ））を受信することができる。制御部１６９０は、第１のメモリ１６５０に記憶されているか又は受信されるディジタルオーディオファイル（例えば、ファイル拡張子が‘ｍｐ３’、‘ｗｍａ’、‘ｏｇｇ’又は‘ｗａｖ’であるファイル）を再生することができる。制御部１６９０は、第１のメモリ１６５０に記憶されているか又は受信されるディジタル動映像ファイル（例えば、ファイル拡張子が‘ｍｐｅｇ’、‘ｍｐｇ’、‘ｍｐ４’、‘ａｖｉ’、‘ｍｏｖ’、又は‘ｍｋｖ’であるファイル）を再生することができる。制御部１６９０は、ＥＰＤパネル１００又はタッチセンサー１６２０を介して入力されるユーザ命令又はメニュー選択に従ってイメージの形態で第１のメモリ１６５０に記憶されているか又は受信されるコンテンツをＥＰＤパネル１００に転写することができる。このとき、このイメージは、静止画像又は動映像であり得る。
【００９３】
第１のメモリ１６５０は、制御部１６９０の制御の下に信号又はデータを記憶することができる。第１のメモリ１６５０は、プリンティング装置１６００又は制御部１６９０の制御のための制御プログラム及びアプリケーションを記憶することができる。
【００９４】
‘メモリ’という用語は、制御部１６９０内の読出し専用メモリ（ＲＯＭ）又はランダムアクセスメモリ（ＲＡＭ）又はプリンティング装置１６００に装着されるメモリカード（図示せず）（例えば、セキュアディジタル（ＳＤ）カード又はメモリスティック）、不揮発性メモリ、揮発性メモリ、ハードディスクドライブ（ＨＤＤ）又はソリッドステートドライブ（ＳＳＤ）を含む。
【００９５】
第１の電力管理部１６８０は、制御部１６９０の制御の下に電力をプリンティング装置１６００に供給することができる。第１の電力管理部１６８０は、１つ又は複数のバッテリー（図示せず）と接続されることができる。また、第１の電力管理部１６８０は、コネクターと接続された有線ケーブルを介して外部の電源ソース（図示せず）から入力される電源をプリンティング装置１６００に供給することができる。
【００９６】
ＥＰＤ制御部１６１０は、制御部１６９０の制御及び予め定められたＥＰＤ駆動アルゴリズムに従ってイメージングシート１２０及びセンシング部１３０を駆動するための制御信号をＥＰＤパネル１００に出力し、ＥＰＤパネル１００から入力されるユーザ入力情報を制御部１６９０に出力する。制御部１６９０は、ユーザ入力情報に従ってＥＰＤパネル１００に表示されるコンテンツを調整するか又はアップデートするようにＥＰＤ制御部１６１０を制御することができる。
【００９７】
予め定められたＥＰＤ駆動アルゴリズムが外部環境を考慮するように設計された場合に、ＥＰＤ制御部１６１０は、第２のセンシング部１６４１により測定された外部環境に関連したセンシングデータを受信する。第２のセンシング部１６４１は、温度センサー、照度センサー、及び湿度センサーを含むことができる。
【００９８】
第２のメモリ１６５１は、センシングデータを記憶することができ、予め定められたＥＰＤ駆動アルゴリズム又はＥＰＤパネル１００を制御するのに必要なデータを記憶することができる。
【００９９】
第２の電力管理部１６８１は、制御部１６９０の制御の下に電力をＥＰＤパネル１００に供給することができる。
【０１００】
タッチセンサー制御部１６３０は、制御部１６９０の制御及び予め定められたタッチセンサー駆動アルゴリズムに従ってタッチセンサー１６２０を駆動するための制御信号をタッチセンサー１６２０に出力し、ペン１０のようなユーザ入力手段を用いてタッチセンサー１６２０に入力されたユーザ入力情報を制御部１６９０に出力する。制御部１６９０は、ユーザ入力情報に従ってＥＰＤパネル１００上に表示されるコンテンツを調整するか又はアップデートするようにＥＰＤ制御部１６１０を制御することができる。
【０１０１】
座標補正センサー１６２１は、座標補正識別タグ１４１及び１４２を感知することによりタッチパネル１００及びプリンティング装置１６００の整列状態を示す情報をタッチセンサー制御部１６３０に出力することができる。本例において、座標補正センサー１６２１は選択的に含まれてもよく、タッチセンサー１６２０は座標補正センサー１６２１としても機能することができる。座標補正識別タグ１４１及び１４２のそれぞれは、ＥＭＲ方式のタッチセンサー１６２０によりその位置が感知されることができるコイル及びコンデンサーを有する共振回路で実現される。
【０１０２】
制御部１６９０は、タッチセンサー１６２０から入力される整列状態情報に基づいて整列状態をユーザに通知し、ユーザが整列状態を調整するように案内する情報をユーザインターフェース１６６０又はＥＰＤパネル１００を介して提供することができる。
【０１０３】
図１７は、本発明の第２の実施形態によるプリンティング装置１８００とＥＰＤパネル１００とが分離された状態を示す図であり、図１８は、プリンティング装置１８００とＥＰＤパネル１００とが結合された状態を示す図である。プリンティング装置１８００は、基板１８１１と、基板上に搭載されたメインボード１８１０と、ＥＰＤパネル１００を固定するためのクリップ1８３０と、ユーザ入力を検出するためのタッチセンサー１８２０とを含む。
【０１０４】
プリンティング装置１８００は、超音波／赤外線タッチセンサーをタッチセンサーとして使用するという点を除外しては、第１の実施形態によるプリンティング装置１６００と類似した構成を有する。したがって、重複する説明は省略する。
【０１０５】
タッチセンサー１８２０は、赤外線センサーと第１の超音波センサーとの組み合せを含む第１のセンサーと、第２の超音波センサーを含む第２のセンサーとを含む。以降の説明において、赤外線を例示しているが、これと他の波長の光を使用してもよい。
【０１０６】
第１のセンサー１８２１及び第２のセンサー１８２２は、超音波及び赤外線を放出するペンの位置を広い範囲にわたって把握することができるようにメインボード１８１０の両端部に備えられる。
【０１０７】
第１のセンサー１８２１は、ペンから放出された超音波及び赤外線を感知する。第２のセンサー１８２２は、ペンから放出された超音波を感知する。第１のセンサー１８２１及び第２のセンサー１８２２は、相互の超音波感知時間差を用いてペンとの相対的な距離差を測定することができるように相互に離隔するように備えられる。タッチセンサー制御部は、第１のセンサー１８２１からの赤外線感知信号及び第１の超音波感知信号に基づいてペンと第１のセンサー１８２１との間の距離を計算することができる。また、タッチセンサー制御部は、第１のセンサー１８２１からの第１の超音波感知信号及び第２のセンサー１８２２からの第２の超音波感知信号に基づいてペンと第１のセンサー１８２１との間の距離とペンと第２のセンサー１８２２との間の距離との比を計算することができる。第１のセンサー１８２１と第２のセンサー１８２２との間の距離が一定に固定されるので、タッチセンサー制御部は、このような距離情報に基づいてＥＰＤパネル１００上のペンの２次元的な位置情報を計算することができる。
【０１０８】
図１９は、本発明の第２の実施形態によるＥＰＤパネル１９００を示す平面図であり、図２０は、ＥＰＤパネル１９００を示す断面図である。ＥＰＤパネル１９００は、第１の実施形態によるＥＰＤパネル１００と類似した構成を有し、図１６に示すメインボード１１１０の構成がＥＰＤパネル１９００に統合されているという点だけが異なる。メインボード１１１０がＥＰＤパネル１９００に統合されているために、図１に示したプリンティング装置１６００との通信のためのインターフェース１６０と座標補正識別タグ１４１及び１４２とは、ＥＰＤパネル１９００に備えられていない。以降の説明において、重複する説明は省略する。
【０１０９】
ＥＰＤパネル１９００は、ＥＰＤパネル１９００内の他の素子を保護するためのカバーシート１９１０と、コンテンツを表示するためのイメージングシート１９２０と、ユーザ入力を感知するためのセンシング部１９３０及びタッチセンサー１９６０と、イメージングシート１９２０と、第１のストリップ１９３１、第２のストリップ１９３２、及び第３のストリップ１９３３を有するセンシング部１９３０を駆動し、センシング部１９３０又はタッチセンサー１９６０を介して入力されるユーザ命令又はメニュー選択に従って内部に格納されているか又は外部から受信されるコンテンツをイメージの形態でイメージングシート１９２０に転写するためのメインボード１９５０とを含む。図１に示す駆動部１５０は、メインボード１９５０に統合される。選択的に、ＥＰＤパネル１９００は、モード設定用スイッチ回路１９４０をさらに含んでもよい。モード設定用スイッチ回路１９４０は、ＥＰＤパネル１９００の用途又はセキュリティーモードなどを設定するために使用されることができる。
【０１１０】
図１６に示すものと同様に、メインボード１９５０は、第１及び第２のセンシング部、第１及び第２のメモリ、ユーザインターフェース、通信部、第１及び第２の電力管理部、ＥＰＤ制御部、及びタッチセンサー制御部を含む。
【０１１１】
タッチセンサー１９６０は、図１５に示すタッチセンサー１６２０のようなＥＭＲ方式のタッチセンサーであるか、又は図９に示すセンシング部１３０のような抵抗膜又は減圧方式のタッチセンサーであり得る。
【０１１２】
図２１は、本発明の第３の実施形態によるＥＰＤパネル２０００を示す平面図であり、図２２は、ＥＰＤパネルを示す断面図である。ＥＰＤパネル２０００は、本発明の第２の実施形態によるＥＰＤパネル１９００と類似した構成を有し、個別のセンシング部１９３０を含まず、抵抗膜方式のタッチセンサー２０６０のエッジ部２０３０をセンシング部として使用するという点だけが異なる。以降の説明において、重複する説明は省略する。
【０１１３】
ＥＰＤパネル２０００は、ＥＰＤパネル２０００内の他の素子を保護するためのカバーシート２０１０と、コンテンツを表示するためのイメージングシート２０２０と、ユーザ入力を感知するためのタッチセンサー２０６０と、イメージングシート２０２０を駆動し、タッチセンサー２０６０を介して入力されるユーザ命令又はメニュー選択に従って内部に格納されているか又は外部から受信されるコンテンツをイメージの形態でイメージングシート２０２０に転写するためのメインボード２０５０とを含む。選択的に、ＥＰＤパネル２０００は、モード設定用スイッチ回路２０４０をさらに含んでもよい。モード設定用スイッチ回路２０４０は、ＥＰＤパネル２０００の用途又はセキュリティーモードを設定するために使用されることができる。
【０１１４】
また、タッチセンサー２０６０のエッジ部２０３０は、センシング部として使用される。
【０１１５】
図２３は、本発明の第４の実施形態によるＥＰＤパネル２１００を示す平面図であり、図２４はＥＰＤパネル２１００を示す断面図である。ＥＰＤパネル２１００は、本発明の第３の実施形態によるＥＰＤパネル２０００の構成と類似した構成を有し、電界通信（Electric Field Communication：ＥＦＣ）機能をさらに備えるという点が異なる。以降の説明において、重複する説明は省略する。
【０１１６】
ＥＰＤパネル２１００は、ＥＰＤパネル２１００内の他の素子を保護するためのカバーシート２１１０と、コンテンツを表示するためのイメージングシート２１２０と、ユーザ入力を感知するためのタッチセンサー２１６０と、イメージングシート２１２０を駆動し、タッチセンサー２１６０を介して入力されるユーザ命令又はメニュー選択に従って内部に格納されているか又は外部から受信されるコンテンツをイメージの形態でイメージングシート２１２０に転写するためのメインボード２１５０とを含む。選択的に、ＥＰＤパネル２１００は、モード設定用スイッチ回路２１４０をさらに含んでもよい。モード設定用スイッチ回路２１４０は、ＥＰＤパネル２１００の用途又はセキュリティーモードを設定するために使用されることができる。また、タッチセンサー２１６０のエッジ部２１３０は、センシング部として使用される。
【０１１７】
本発明によるＥＦＣは、１０ｃｍ内の近距離非接触通信であるか、又はＥＰＤパネル２１００の表面上に露出した電極を介した接触通信であり得る。このようなＥＦＣは、アナログ変換又は周波数変調を実行することなくディジタルデータを送信する。
【０１１８】
近距離非接触通信方式のＥＦＣは、アンテナとして機能する電極を介したエアーへの電場の出力によりなされ、ＥＦＣの電極として、イメージングシート２１２０の共通電極（例えば、図３に示す共通電極３７０）、イメージングシート２１２０の画素電極（例えば、図５に示す画素電極３２０）、又はタッチセンサー２１６０の電極（例えば、図１５に示す第１のサブループ部１５１０又は第２のサブループ部１５２０）を使用することができる。あるいは、図１９及び図２０に示す構成において、センシング部１９３０の電極（例えば、図９に示す第１の電極ライン８１３又は第２の電極ライン８２２）をＥＦＣの電極として使用することができる。
【０１１９】
本例では、ＥＰＤパネル２１００の表面上に露出した電極を使用する接触通信方式のＥＦＣを一例として使用する。
【０１２０】
このようなＥＦＣのために、ＥＰＤパネル２１００は、その表面上に露出した電極２１７０をさらに含むことができる。電極２１７０は、イメージングシート２１２０の共通電極に接続されるか又はＥＰＤパネル２１００内の他の電極に接続されることができる。
【０１２１】
あるいは、ＥＰＤパネル２１００のメインボード２１５０は、その表面に露出したＥＦＣのための電極２１８０を含んでもよい。
【０１２２】
制御部は、イメージングシート２０２０上に現在表示されているデータ又はメモリに記憶されているデータをＥＦＣを介して他のＥＰＤパネルに送信することができる。
【０１２３】
図２５は本発明によるＥＰＤパネル間のＥＦＣを示すフローチャートであり、図２６は接触方式のＥＦＣを説明するための図である。
【０１２４】
以降の説明において、各ＥＰＤパネル２１００及び２１００ａにより実行される機能は、他の構成素子を用いてＥＰＤパネル２１００及び２１００ａの制御部により実行される。
【０１２５】
ステップＳ１１０において、第１のＥＰＤパネル２１００は、他のＥＰＤパネルが第１のＥＰＤパネル２１００の周辺に存在するか否かを確認するために第１の電極２１７０を介してインクワイアリーメッセージを送信する。すなわち、第１のＥＰＤパネル２１００は、インクワイアリーを実行しつつ周辺端末の検索を開始する。接触方式のＥＦＣの場合に、第１のＥＰＤパネル２１００は、第１の電極２１７０の抵抗変化から第１のＥＰＤパネル２１００が第２のＥＰＤパネル２１００ａと人体接続されていることを感知することができ、このような接続を感知した後にステップＳ１１０を実行することができる。
【０１２６】
図２６を参照すると、ユーザが第１のＥＰＤパネル２１００の第１の電極２１７０及び第２のＥＰＤパネル２１００ａの第２の電極２１７０ａに同時に接触する場合に、第１のＥＰＤパネル２１００及び第２のＥＰＤパネル２１００ａは、人体を介して相互に接続される。このような人体接続状態において、第１の電極２１７０から出力された非変調された（すなわち、アナログ変換又は周波数変調が行われない）ディジタルデータは、人体を介して第２の電極２１７０ａに伝達されることができる。
【０１２７】
ステップＳ１２０において、ディスカバラブル（discoverable）モードにある第２のＥＰＤパネル２１００ａは、第２の電極２１７０ａを介してインクワイアリーに対するインクワイアリー応答メッセージを送信する。この時に、検索された第２のＥＰＤパネル２１００ａは、第１のＥＰＤパネル２１００とのペアリングのための情報をインクワイアリー応答メッセージを介して送信する。例えば、インクワイアリー応答メッセージは、装置識別子及び同期化情報のような各種通信設定情報を含むことができる。
【０１２８】
ステップＳ１３０において、第１のＥＰＤパネル２１００及び第２のＥＰＤパネル２１００ａは相互にペアリングされ、このようなペアリング状態において、第１のＥＰＤパネル２１００及び第２のＥＰＤパネル２１００ａは相互にデータの送受信を行うことができる。
【０１２９】
ステップＳ１４０において、第１のＥＰＤパネル２１００は、第１の電極２１７０を介して現在表示されているデータ又はメモリに記憶されているデータを第２のＥＰＤパネル２１００ａに送信する。このようなデータ送信は、自動で実行されるか又はユーザの選択により実行されることができる。例えば、第１のＥＰＤパネル２１００は、データを送信するか否かについてユーザに問い合せた後に（例えば、メッセージウィンドーの表示を介して）、ユーザがデータを送信するか否かを選択することができる（例えば、メッセージウィンドーの送信ボタンを選択することにより）。他の例として、第１のＥＰＤパネル２１００は、送信されることができるデータリストをユーザに表示し、ユーザがデータリストからデータを選択することができる。これと同様に、インクワイアリーメッセージの送信、応答メッセージの送信、又はペアリングもユーザの選択に従って実行されることができる。
【０１３０】
ステップＳ１５０において、第２のＥＰＤパネル２１００は、第２の電極２１７０ａを介して受信されたデータをユーザに表示するか又はメモリに記憶する。
【０１３１】
図２７及び図２８はＥＦＣの一例を説明するための図である。
【０１３２】
図２７を参照すると、第１のＥＰＤパネル２１００にはコンテンツが表示されており、第２のＥＰＤパネル２１００ａにはコンテンツが表示されていない。接触方式のＥＦＣが設定される場合に、ユーザの左手２２１０が第１のＥＰＤパネル２１００の第１の電極２１７０と接触しているが、ユーザが第２のＥＰＤパネル２１００の第２の電極２１７０ａとは接触しておらず、これにより、第１のＥＰＤパネル２１００と第２のＥＰＤパネル２１００ａとの間のデータ通信が実行されない。
【０１３３】
図２８を参照すると、ユーザの左手２２１０が第１のＥＰＤパネル２１００の第１の電極２１７０と接触しており、ユーザの右手２２２０が第２のＥＰＤパネル２１００ａの第２の電極２１７０ａと接触している場合に、第１のＥＰＤパネル２１００と第２のＥＰＤパネル２１００ａとの間のデータ通信が実行される。本例において、第１のＥＰＤパネル２１００のコンテンツは第２のＥＰＤパネル２１００ａに送信され、第２のＥＰＤパネル２１００ａは受信されたコンテンツをユーザに表示する。
【０１３４】
図２９はＥＦＣの他の例を説明するための図である。
【０１３５】
図２７のように、第１のＥＰＤパネル２１００にはコンテンツが表示されており、第２のＥＰＤパネル２１００ａにはコンテンツが表示されていない状態で、相互に重なるか又は振り合う方式で第１のＥＰＤパネル２１００及び第２のＥＰＤパネル２１００ａが相互に近く位置する場合に、第１のＥＰＤパネル２１００のコンテンツは、第２のＥＰＤパネル２１００ａに送信される。
【０１３６】
本発明の実施形態は、ハードウェア、ソフトウェア、又はハードウェア及びソフトウェアの組み合せの形態で実現することができる。このような任意のソフトウェアは、例えば、削除又は再記録が可能であるか否かに関係なく、ＲＯＭなどの記憶装置のような揮発性又は非揮発性記憶装置、又は、例えば、ＲＡＭ、メモリチップ、装置又は集積回路のようなメモリ、又は例えばＣＤ、ＤＶＤ、磁気ディスク又は磁気テープなどの光学的又は磁気的に読み取り可能な媒体に記憶することができる。記憶装置及び記憶媒体は、本発明の実施形態を実現する指示を含むプログラム又はプログラムを格納するのに適合した機械可読の記憶装置の実施形態である。したがって、本発明は、本願明細書の任意の請求項に記載された装置又は方法を実現するためのコードを含むプログラム及びこのようなプログラムを格納する機械可読記憶装置を提供する。また、このようなプログラムは、有線又は無線接続を通じて送信される通信信号のような任意の媒体を通じて電子的に移送され、本発明は、これと均等なことを適切に含む。また、プリンティング装置は、有線又は無線で接続されるプログラム提供装置からプログラムを受信し格納することができる。プログラム提供装置は、プリンティング装置が予め定められたイメージ転写方法を実行するようにする指示を含むプログラムと、イメージ転写方法に必要な情報を記憶するためのメモリと、プリンティング装置との有線又は無線通信を実行するための通信部と、プリンティング装置の要請又は自動で対応するプログラムをプリンティング装置に送信する制御部とを含むことができる。
【０１３７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【０１３８】
１０      ペン
１００    ＥＰＤパネル
１５０    駆動部
１６００  プリンティング装置
１６１０  ＥＰＤ制御部
１６２０  タッチセンサー
１６２１  座標補正センサー
１６３０  タッチセンサー制御部
１６４０  第1のセンシング部
１６４１  第2のセンシング部
１６５０  メモリ
１６５１  第2のメモリ
１６６０  ユーザインターフェース
１６７０  通信部
１６８０  第1の電力管理部
１６８１  第2の電力管理部
１６９０  制御部
【図１】
2013214301.tif 000003
【図２】
2013214301.tif 000004
【図３】
2013214301.tif 000005
【図４】
2013214301.tif 000006
【図５】
2013214301.tif 000007
【図６】
2013214301.tif 000008
【図７】
2013214301.tif 000009
【図８】
2013214301.tif 000010
【図９】
2013214301.tif 000011
【図１０】
2013214301.tif 000012
【図１１】
2013214301.tif 000013
【図１２】
2013214301.tif 000014
【図１３】
2013214301.tif 000015
【図１４】
2013214301.tif 000016
【図１５】
2013214301.tif 000017
【図１６】
2013214301.tif 000018
【図１７】
2013214301.tif 000019
【図１８】
2013214301.tif 000020
【図１９】
2013214301.tif 000021
【図２０】
2013214301.tif 000022
【図２１】
2013214301.tif 000023
【図２２】
2013214301.tif 000024
【図２３】
2013214301.tif 000025
【図２４】
2013214301.tif 000026
【図２５】
2013214301.tif 000027
【図２６】
2013214301.tif 000028
【図２７】
2013214301.tif 000029
【図２８】
2013214301.tif 000030
【図２９】
2013214301.tif 000031